【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させることと、
前記ＵｐＰＴＳにおいて送信することと、
を備える、ワイヤレス通信のための方法。
【請求項２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項１に記載の方法。
【請求項３】
前記ＳＲＳ送信が、アップリンク送信のために割り振られる前記３つ以上のシンボルのうちの最後の２つのシンボル中で前記ＲＡＣＨ送信と重複する、請求項２に記載の方法。
【請求項４】
アップリンク送信のために割り振られる前記シンボルの一部分が、前記第２のＲＡＴネットワークに関連する少なくともガード期間（ＧＰ）およびＵｐＰＴＳと重複する、請求項１に記載の方法。
【請求項５】
前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、請求項４に記載の方法。
【請求項６】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項５に記載の方法。
【請求項７】
前記第２のＲＡＴネットワークが時分割同期符号分割多元接続（ＴＤ−ＳＣＤＭＡ）を備える、請求項１に記載の方法。
【請求項８】
前記第１のＲＡＴネットワークがロングタームエボリューション（ＬＴＥ（登録商標））時分割複信（ＴＤＤ）を備える、請求項７に記載の方法。
【請求項９】
前記第２のネットワークのＴＤ−ＳＣＤＭＡダウンリンク／アップリンク構成が、２：４、３：３、４：２、および１：５のうちの１つであり、ＬＴＥ  ＴＤＤスペシャルサブフレーム（ＳＳＦ）構成がｋ：（１４−ｋ−ｎ）：ｎを備え、ここにおいて、１≦ｎ≦１３−ｋであり、ここにおいて、ｋがダウンリンクパイロットタイムスロット（ＤｗＰＴＳ）の直交周波数分割多重（ＯＦＤＭ）シンボルの数を示し、ｎがＵｐＰＴＳのＯＦＤＭシンボルの数を示し、ここにおいて、
２：４の前記ＴＤ−ＳＣＤＭＡダウンリンク／アップリンク構成について、ｋ＝１であり、
３：３の前記ＴＤ−ＳＣＤＭＡダウンリンク／アップリンク構成について、１≦ｋ≦１０であり、
４：２の前記ＴＤ−ＳＣＤＭＡダウンリンク／アップリンク構成について、１≦ｋ≦６であり、
１：５の前記ＴＤ−ＳＣＤＭＡダウンリンク／アップリンク構成について、１≦ｋ≦５である、
請求項８に記載の方法。
【請求項１０】
第１の無線アクセス技術（ＲＡＴ）ネットワークに関連するアップリンクパイロットタイムスロット（ＵｐＰＴＳ）中のアップリンク送信の領域を判断するための手段と、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させるための手段と、
前記ＵｐＰＴＳにおいて送信するための手段と、
を備える、ワイヤレス通信のための装置。
【請求項１１】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項１０に記載の装置。
【請求項１２】
前記ＳＲＳ送信が、アップリンク送信のために割り振られる前記３つ以上のシンボルのうちの最後の２つのシンボル中で前記ＲＡＣＨ送信と重複する、請求項１１に記載の装置。
【請求項１３】
アップリンク送信のために割り振られる前記シンボルの一部分が、前記第２のＲＡＴネットワークに関連する少なくともガード期間（ＧＰ）およびＵｐＰＴＳと重複する、請求項１０に記載の装置。
【請求項１４】
前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、請求項１３に記載の装置。
【請求項１５】
少なくとも１つのプロセッサによって実行されたとき、前記少なくとも１つのプロセッサに、請求項１から請求項９の方法のうちの何れか１つを実行させるコードを有するコンピュータ可読媒体。
【手続補正２】
【補正対象書類名】明細書
【補正対象項目名】００７６
【補正方法】変更
【補正の内容】
【００７６】
[0083]上記は本開示の態様を対象とするが、本開示の他の態様およびさらなる態様は、それの基本的範囲から逸脱することなく考案され得、それの範囲は以下の特許請求の範囲によって判断される。
以下に本願の出願当初の特許請求の範囲に記載された発明を付記する。
[Ｃ１]  第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記ＵｐＰＴＳにおいて送信することとを備える、ワイヤレス通信のための方法。
[Ｃ２]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ１に記載の方法。
[Ｃ３]  前記ＳＲＳ送信が、アップリンク送信のために割り振られる前記３つ以上のシンボルのうちの最後の２つのシンボル中で前記ＲＡＣＨ送信と重複する、Ｃ２に記載の方法。
[Ｃ４]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ１に記載の方法。
[Ｃ５]  アップリンク送信のために割り振られる前記シンボルの一部分が、前記第２のＲＡＴネットワークに関連する少なくともガード期間（ＧＰ）およびＵｐＰＴＳと重複する、Ｃ４に記載の方法。
[Ｃ６]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ５に記載の方法。
[Ｃ７]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ６に記載の方法。
[Ｃ８]  前記第２のＲＡＴネットワークが時分割同期符号分割多元接続（ＴＤ−ＳＣＤＭＡ）を備える、Ｃ４に記載の方法。
[Ｃ９]  前記第１のＲＡＴネットワークがロングタームエボリューション（ＬＴＥ）時分割複信（ＴＤＤ）を備える、Ｃ８に記載の方法。
[Ｃ１０]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１１]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１２]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１３]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ９に記載の方法。
[Ｃ１４]  第１の無線アクセス技術（ＲＡＴ）ネットワークに関連するアップリンクパイロットタイムスロット（ＵｐＰＴＳ）中のアップリンク送信の領域を判断するための手段と、ここにおいて、前記ＵｐＰＴＳが、アップリンク送信のために割り振られる３つ以上のシンボルを備える、
前記ＵｐＰＴＳにおいて送信するための手段とを備える、ワイヤレス通信のための装置。
[Ｃ１５]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ１４に記載の装置。
[Ｃ１６]  前記ＳＲＳ送信が、アップリンク送信のために割り振られる前記３つ以上のシンボルのうちの最後の２つのシンボル中で前記ＲＡＣＨ送信と重複する、Ｃ１５に記載の装置。
[Ｃ１７]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ１４に記載の装置。
[Ｃ１８]  アップリンク送信のために割り振られる前記シンボルの一部分が、前記第２のＲＡＴネットワークに関連する少なくともガード期間（ＧＰ）およびＵｐＰＴＳと重複する、Ｃ１７に記載の装置。
[Ｃ１９]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ１８に記載の装置。
[Ｃ２０]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ１９に記載の装置。
[Ｃ２１]  前記第２のＲＡＴネットワークが時分割同期符号分割多元接続（ＴＤ−ＳＣＤＭＡ）を備える、Ｃ１７に記載の装置。
[Ｃ２２]  前記第１のＲＡＴネットワークがロングタームエボリューション（ＬＴＥ）時分割複信（ＴＤＤ）を備える、Ｃ２１に記載の装置。
[Ｃ２３]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２４]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２５]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２６]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ２２に記載の装置。
[Ｃ２７]  第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記ＵｐＰＴＳにおいて送信することとを行うように構成された少なくとも１つのプロセッサと、前記少なくとも１つのプロセッサに結合されたメモリとを備える、ワイヤレス通信のための装置。
[Ｃ２８]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ２７に記載の装置。
[Ｃ２９]  前記ＳＲＳ送信が、アップリンク送信のために割り振られる前記３つ以上のシンボルのうちの最後の２つのシンボル中で前記ＲＡＣＨ送信と重複する、Ｃ２８に記載の装置。
[Ｃ３０]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ２７に記載の装置。
[Ｃ３１]  アップリンク送信のために割り振られる前記シンボルの一部分が、前記第２のＲＡＴネットワークに関連する少なくともガード期間（ＧＰ）およびＵｐＰＴＳと重複する、Ｃ３０に記載の装置。
[Ｃ３２]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ３１に記載の装置。
[Ｃ３３]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ３２に記載の装置。
[Ｃ３４]  前記第２のＲＡＴネットワークが時分割同期符号分割多元接続（ＴＤ−ＳＣＤＭＡ）を備える、Ｃ３０に記載の装置。
[Ｃ３５]  前記第１のＲＡＴネットワークがロングタームエボリューション（ＬＴＥ）時分割複信（ＴＤＤ）を備える、Ｃ３４に記載の装置。
[Ｃ３６]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ３７]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ３８]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ３９]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ３５に記載の装置。
[Ｃ４０]  ワイヤレス通信のためのコンピュータプログラム製品であって、
第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記ＵｐＰＴＳにおいて送信することとを行うためのコードを有するコンピュータ可読媒体を備える、コンピュータプログラム製品。
[Ｃ４１]  前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、Ｃ４０に記載のコンピュータプログラム製品。
[Ｃ４２]  前記ＳＲＳ送信が、アップリンク送信のために割り振られる前記３つ以上のシンボルのうちの最後の２つのシンボル中で前記ＲＡＣＨ送信と重複する、Ｃ４１に記載のコンピュータプログラム製品。
[Ｃ４３]  前記第１のＲＡＴネットワークが、前記第１のＲＡＴネットワークと第２のＲＡＴネットワークとの間でアップリンク送信を整合させることによって前記第２のＲＡＴネットワークと共存する、Ｃ４０に記載のコンピュータプログラム製品。
[Ｃ４４]  アップリンク送信のために割り振られる前記シンボルの一部分が、前記第２のＲＡＴネットワークに関連する少なくともガード期間（ＧＰ）およびＵｐＰＴＳと重複する、Ｃ４３に記載のコンピュータプログラム製品。
[Ｃ４５]  前記第１のＲＡＴネットワークに関連するＧＰおよび前記ＵｐＰＴＳのために割り振られるシンボルの数が、
前記第２のＲＡＴネットワークに関連する前記ＧＰおよび前記ＵｐＰＴＳ、ならびに前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することとによって判断される、Ｃ４４に記載のコンピュータプログラム製品。
[Ｃ４６]  前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、Ｃ４５に記載のコンピュータプログラム製品。
[Ｃ４７]  前記第２のＲＡＴネットワークが時分割同期符号分割多元接続（ＴＤ−ＳＣＤＭＡ）を備える、Ｃ４３に記載のコンピュータプログラム製品。
[Ｃ４８]  前記第１のＲＡＴネットワークがロングタームエボリューション（ＬＴＥ）時分割複信（ＴＤＤ）を備える、Ｃ４７に記載のコンピュータプログラム製品。
[Ｃ４９]  ２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
[Ｃ５０]  ３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
[Ｃ５１]  ４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。
[Ｃ５２]  １：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、Ｃ４８に記載のコンピュータプログラム製品。